(57)【要約】【課題】通信方式の異なる携帯電話機は、コネクタの形状も異なるので、携帯電話機のバッテリーを充電するにはその携帯電話機のコネクタに対応したマルチタップを備えた専用の充電器を使用しなければならない。【解決手段】共用型充電器１は、電力供給ライン５１に対して並列接続された、通信方式に対応した複数の挿込部を有するマルチタップ３と、マルチタップ３のいずれかの挿込部に携帯電話機のコネクタが接続されると自動的に電力供給ラインと接続されて、携帯電話機のバッテリーに電力を供給して充電する電源部と、過充電を防止する過電流防止回路とを有する、充電器本体５とを備える。ＤＣ−ＤＣコンバータ回路で発生する電圧の大きさは充電される携帯電話機の充電電圧のうち最低のものに対応している。【選択図】        図１
2007174823.tif 000002
【特許請求の範囲】
【請求項１】
電力供給ラインに対して並列接続された、通信方式に対応した複数の挿込部を有するマルチタップと、
前記マルチタップのいずれかの挿込部に携帯電話機のコネクタが接続されると自動的に前記電力供給ラインと接続されて、前記携帯電話機のバッテリーに電力を供給して充電する電源部と、過充電を防止する過電流防止回路とを有する充電器本体とを備え、
前記電源部で発生する電圧の大きさは携帯電話機の充電電圧のうち最低のものに対応していることを特徴とする携帯電話機用充電器。
【請求項２】
請求項１に記載した携帯電話機用充電器において、充電器本体は、さらに、
一定範囲内の人体を検出する人体検出部と、
携帯電話機の接続を確認する携帯接続検出部と、
人体を検出できずに携帯電話機の接続を確認した場合には、警告信号を生成してメッセージを発声させたり警告表示したりする警告部と、
を備えることを特徴とする携帯電話機用充電器。
【請求項３】
請求項１または２に記載した携帯電話機用充電器において、
マルチタップと充電器本体は接続コードで接続されており、
前記マルチタップは、四隅が角形状に切り欠かれて段差部を有する箱形筐体と、前記筐体の３つの側面からそれぞれ突出して設けられている３つの挿込部とを含み、残りの側面には接続コードが接続されており、
前記充電器本体は、ベース部と前記ベースから延びる一対のホルダー部と、前記ベース部の下方に形成された係止部と、前記接続コードの導出口とを有し、
携帯電話機のコネクタが前記マルチタップに接続されてと一体となった状態で、前記充電器本体のホルダー部に差し込まれて前記マルチタップの段差部が前記係止部に当接したときには、前記接続コードが前記導出口から導出されることを特徴とする携帯電話機用充電器。
【発明の詳細な説明】
【技術分野】
【０００１】
本発明は通信形式の異なる携帯電話機を共用で充電できる携帯電話機用充電器に関するものである。
【背景技術】
【０００２】
日本ではＦＯＭＡ、ＣＤＭＡ、ＰＤＣと言った通信方式の異なる携帯電話機が利用されているが、通信方式が異なるとコネクタの形状も異なるので、携帯電話機のバッテリーを充電するにはその携帯電話機のコネクタに対応したマルチタップを備えた専用の充電器を使用しなければならない。しかしながら、充電器は嵩張り重量も結構あるので通常は自宅等に固定的に置かれている。
そのため、出先で携帯電話機を長時間使用してバッテリー切れになって困った経験のあるユーザーは多いはずである。
最近では、コンビニエンスストアなどで携帯用の充電器も販売されてはいるが、高価である。
【０００３】
そこで、ホテルなどのサービス業界はサービスの一環として、充電器を備えておき必要なユーザーに利用してもらうよう試みているところもある。
しかしながら、上記した理由で専用の充電器を３種類は設置しなければならず、スペースの関係などから設置が制限されている。
【発明の開示】
【発明が解決しようとする課題】
【０００４】
本発明は、上記した課題を解決するために、通信形式の異なる携帯電話機を共用で充電できる携帯電話機用充電器を提供することを目的とする。
【課題を解決するための手段】
【０００５】
通信方式の異なる携帯電話機でも、日本で使用されているものは充電電圧の違いは大したものではないことを考慮して本発明の簡易な電気構造で小型化できる充電器を考案した。
請求項１の発明は、電力供給ラインに対して並列接続された、通信方式に対応した複数の挿込部を有するマルチタップと、前記マルチタップのいずれかの挿込部に携帯電話機のコネクタが接続されると自動的に前記電力供給ラインと接続されて、前記携帯電話機のバッテリーに電力を供給して充電する電源部と、過充電を防止する過電流防止回路とを有する充電器本体とを備え、前記電源部で発生する電圧の大きさは携帯電話機の充電電圧のうち最低のものに対応していることを特徴とする携帯電話機用充電器である。
【０００６】
請求項２の発明は、請求項１に記載した携帯電話機用充電器において、充電器本体は、さらに、一定範囲内の人体を検出する人体検出部と、携帯電話機の接続を確認する携帯接続検出部と、人体を検出できずに携帯電話機の接続を確認した場合には、警告信号を生成してメッセージを発声させたり警告表示したりする警告部と、を備えることを特徴とする携帯電話機用充電器である。
【０００７】
請求項３の発明は、請求項１または２に記載した携帯電話機用充電器において、マルチタップと充電器本体は接続コードで接続されており、前記マルチタップは、四隅が角形状に切り欠かれて段差部を有する箱形筐体と、前記筐体の３つの側面からそれぞれ突出して設けられている３つの挿込部とを含み、残りの側面には接続コードが接続されており、前記充電器本体は、ベース部と前記ベースから延びる一対のホルダー部と、前記ベース部の下方に形成された係止部と、前記接続コードの導出口とを有し、携帯電話機のコネクタが前記マルチタップに接続されてと一体となった状態で、前記充電器本体のホルダー部に差し込まれて前記マルチタップの段差部が前記係止部に当接したときには、前記接続コードが前記導出口から導出されることを特徴とする携帯電話機用充電器である。
【発明の効果】
【０００８】
本発明の携帯電話機用充電器によれば、通信形式の異なる携帯電話機を共用で充電できる。従って、外部電源の挿込部が１つでもまた設置スペースが小さくとも設置できる。
【発明を実施するための最良の形態】
【０００９】
以下、本発明の実施の形態を図面に基づいて説明する。
（第１の実施の形態）
第１の実施の形態にかかわる携帯電話機用充電器１の外形的構造を、図１〜図３に従って説明する。
この充電器１には、任意の通信方式の携帯電話機２が接続されて充電される。
充電器１は、マルチタップ（プラグ）３と充電器本体５と接続コード７で接続されている。
マルチタップ３の筐体９は、箱状をしており、四隅が均等に角形状に切り欠かれて各側面１１の両端部に一対の後退した段差部１３が形成されている。筐体９は樹脂により一体成形されており、
挿込部１５，１７，１９は、３種類の通信方式（ＦＯＭＡ、ＣＤＭＡ、ＰＤＣ）に対応して３種類用意されており、筐体９の側面１１の中間からそれぞれ突出している。これら挿込部１５，１７，１９には、それぞれ、複数のピン端子が並設されている。残りの側面１１には接続コード７が接続されている。
【００１０】
充電器本体５の筐体２１も樹脂により一体成形されてなる。
符号２３は角形のベース部を示し、このベース部２３の長手方向の左右両側からはホルダー部２５が突設されている。このホルダー部２５はベース部２３から垂直に立ち上がり、途中で略垂直に屈曲して水平に内方に向かっている。すなわち、ホルダー部２５は「く」の字状をしている。このホルダー部２５はベース部２３の長手方向に沿って延在している。
ベース部２３とホルダー部２５とで囲まれた空間が携帯電話機２とマルチタップ３の収容空間２７になっている。
【００１１】
符号２９は平板状の係止部を示し、この係止部２９はベース部２３の長手方向の一端部側に形成されており、ベース部２３からホルダー部２５と同じ方向に垂直に壁状に立ち上がっている。
係止部２９のベース部２３からの立上がり部は、ホルダー部２５の立上がり部より短くなっており、ホルダー部２５の屈曲部の裏面２６と係止部２９の前面３０との間には開口部３１が形成されている。また、係止部２９の長手方向の中間部には、前方から後方（ベース部２３側）に向かって角形に切り欠いた形状の切欠き部３３が形成されている。切欠き部３３とベース部２３は面一となっている。
開口部３１と切欠き部３３によって、導出口が構成されている。この導出口は、携帯電話機２にマルチタップ３が接続された状態で収容空間２７に収容されたときに、接続コード７が充電器本体５の外に出るための出口となっている。
【００１２】
充電器本体５の係止部２９の外側面には接続コード７が接続されている。
符号３７は充電中表示用ＬＥＤを示し、このＬＥＤ３７はホルダー部２５の前面の下端部付近に取り付けられている。
符号３９は国産の１２Ｖ乗用車のシガーソケットに接続できる電源コードを示し、この電源コード３９はベース部２３の上面に接続される。
符号４１は警告ボードを示し、この警告ボード４１は充電器本体５とコードで接続されている。この警告ボード４１にはスピーカ（穴）４３と、携帯接続表示用ＬＥＤ４５が設けられている。
符号４７は逆Ｕ字形の装着部を示し、この装着部４７でタクシーなどの営業車のシート４９を挟むことで、シート４９に充電器１が固定的に設置される。また、警告ボード４１もシート５０の後側に任意の固定手段より固定される。
【００１３】
以下に、充電器１の使用方法を説明する。
前もって充電器１の電源コード３９を接続して、充電待機状態としておく。
そして、充電時には、携帯電話機２のコネクタに、対応するマルチタップ３の挿込部１５，１７，１９のいずれかを差し込んで一体にする。そして、一体になったものを、マルチタップ３を下側にして充電器本体５の収容空間２７に上側（即ち、電源コード３９の接続された側）から差し込んでそのまま下側にスライド移動させる。すると、マルチタップ３の一対の段差部１３が係止部２９に当接される。
【００１４】
このとき、図３（１）に示すように、携帯電話機２がマルチタップ３のＰＤＣ用の挿込部１７と接続されている場合には、接続コード７は切欠き部３３から導出され、図３（２）に示すように、携帯電話機２がマルチタップ３のＦＯＭＡ用の挿込部１５と接続されている場合には、接続コード７は左側の開口部３１から導出される。また、図示していないが、携帯電話機２がマルチタップ３のＣＤＭＡ用の挿込部１９と接続されている場合には、接続コード７は右側の開口部３１から導出される。
【００１５】
次に、充電器１の電気的構造を図４、図５に従って説明する。
充電器本体５の電力供給ライン５１は、電源部としての整流回路５３と、携帯電話機用に適当な電圧に調整するＤＣ−ＤＣコンバータ回路５５とを含んでいる。なお、整流回路５３は外部電源がＡＣ電源の場合に利用される。
ここで利用する外部電源は、ＤＣ１２Ｖ  ４００ｍＡのシガーライター用電源である。このＤＣ−ＤＣコンバータ回路５５で発生する電圧の大きさは、充電される携帯電話機の充電電圧に対応しており、この実施の形態ではＤＣ５．５Ｖ、６００ｍＡとなっている。
【００１６】
電力供給ライン５１に対して、３つの挿込部１５，１７，１９は並列接続されており、いずれかの挿込部に携帯電話機２のコネクタが接続されると、図４に示すように、電力供給ライン５１がＯＮになり、電力供給ライン５１から携帯電話機２のバッテリーに電力が供給される。
なお、電力供給ライン５１にさらに過電流防止回路５７が設けられており、過電流が携帯電話機２のバッテリーに流れ込まないようになっている。
【００１７】
また、携帯電話機２の置き忘れを防止するために、警告部が設けられている。この警告部では、制御部としての信号処理回路６１が、電力供給ライン５１に設けられた電流検出回路６３からの充電電流信号または携帯接続回路６５からの携帯電話機接続信号により、携帯電話機２が充電器本体５のホルダー部２５に保持されていることを確認する、すなわち携帯接続を検出する。
また、信号処理回路６１が、焦電型赤外線センサー６７からのセンサー信号により人体（即ち、携帯電話機２の所有者）の存在を確認する。
そして、携帯電話機２がホルダー部２５に保持されてにもかかわらず、人体の存在が確認できないときには、信号処理回路６１は警告信号を生成し、その警告信号を音声合成回路５５に送り、スピーカ４３からメッセージを発声させる。また、警告信号を外部携帯接続用フォトカプラ出力回路６９にも送り、携帯接続表示用ＬＥＤ４５を発光させる。
【００１８】
この実施の形態で示した充電器１をタクシーの運転席のシート４９に設置し、警告ボード４１を助手席のシート５０に設置しておけば、乗客は、タクシーに乗車中に携帯電話機２を充電しておくことができ、しかも降車時に充電していたことを忘れてそのまま降りようとしても、警告のメッセージが流れたり、ＬＥＤが発光したりするので、直ぐ気がつく。
【００１９】
第２の実施の形態に係る充電器７１を、図６、図７に従って説明する。
ここでは、充電器７１をパチンコ店の店内に設置した例を示す。
ここで利用する外部電源は、商用電源を降圧したＡＣ２４Ｖ、１００ｍＡの電源である。このＤＣ−ＤＣコンバータ回路５５で発生する電圧の大きさは、充電される携帯電話機の充電電圧のうち最低のものに対応しており、この実施の形態ではＤＣ４．７Ｖ、４００ｍＡとなっている。
さらに警告部が設けられていないことを除いては、充電器１と略同じ外形的構造及び電気的構造を有している。
この充電器７１はパチンコ台列には複数のパチンコ台７５が設置され、隣接するパチンコ台７５の間には玉貸機を配置できるようスペース７７が設けられている。このスペース７７に充電器７１を立たせた状態で固定しておく。
客は自分の携帯電話機２のコネクタに前方の充電器１のマルチタップ３の適当な挿込部１５，１７，１９を差し込んだ後に、ホルダー部２５に差し込んでおけば、簡単に充電でき、しかも充電中にパチンコを楽しむことができる。
【００２０】
第３の実施の形態に係る充電器７９を、図８、図９に従って説明する。
ここでは、充電器７９をホテルの客室内に設置した例を示す。
ここで利用する外部電源は、商用（ＡＣ）電源をＡＣアダプター（ＤＣ２４Ｖ、１００ｍＡ）８１で直流化したものである。このＤＣ−ＤＣコンバータ回路５５で発生する電圧の大きさは、充電される携帯電話機の充電電圧のうち最低のものに対応しており、この実施の形態ではＤＣ４．７Ｖ、４００ｍＡとなっている。
さらに警告部が設けられていないことと、電器本体８３のホルダー部８５には水平部が設けられていないを除いては、充電器１と略同じ外形的構造及び電気的構造を有している。この充電器７９は、ベッドの脇のサイドテーブル８７等に載せて設置することを想定しているので、水平部は設けられていない。
【００２１】
以上、本発明の実施の形態を説明したが、本発明の具体的構成が上記の実施の形態に限定されるものではなく、本発明の要旨から外れない範囲での設計変更があっても本発明に含まれる。
例えば、表示手段はＬＥＤに限らず、ランプなどでもよい。アナウンス手段もスピーカに限らず、ブザー、チャイムなどでもよい。
【産業上の利用可能性】
【００２２】
本発明の携帯電話機用充電器をタクシーの車内、パチンコ店の店内、ホテルの客室内などに設置することで、客に携帯電話機の充電サービスを提供することができる。従って、これらの会社の顧客サービスを高めることができる。
【図面の簡単な説明】
【００２３】
【図１】本発明の第１の実施の形態に係る携帯電話機用充電器の斜視図である。
【図２】図１の充電器の使用方法の説明図である。
【図３】図１の充電器の使用方法の説明図である。
【図４】図１の充電器の電気的構造図である。
【図５】図４の一部詳細図である。
【図６】本発明の第２の実施の形態に係る携帯電話機用充電器の斜視図である。
【図７】図６の使用方法の説明図である。
【図８】本発明の第３の実施の形態に係る携帯電話機用充電器の斜視図である。
【図９】図８の使用方法の説明図である。
【符号の説明】
【００２４】
１‥‥携帯電話機用充電器
３‥‥マルチタップ                    ５‥‥充電器本体
７‥‥接続コード                      ９‥‥筐体（マルチタップ）
１１‥‥側面                          １３‥‥段差部
１５，１７，１９‥‥挿込部
２１‥‥筐体（充電器本体）            ２３‥‥ベース部
２５‥‥ホルダー部                    ２６‥‥下面（水平部）
２７‥‥収容空間                      ２９‥‥係止部
３０‥‥上面（係止部）                ３１‥‥開口部
３３‥‥切欠き部                      ３７‥‥充電中表示用ＬＥＤ  
３９‥‥電源コード（シガーライター）
４１‥‥警告ボード                    ４３‥‥スピーカ
４５‥‥携帯接続表示用ＬＥＤ          ４７‥‥装着部
４９‥‥シート                        ５１‥‥電力供給ライン
５３‥‥整流回路                      
５５‥‥ＤＣ−ＤＣコンバータ回路      ５７‥‥過電流防止回路
６１‥‥信号処理回路                  ６３‥‥電流検出回路
６５‥‥携帯接続回路                  ６７‥‥焦電型赤外線センサー
６９‥‥外部携帯接続表示用フォトカプラ出力回路
７１‥‥携帯電話機用充電器            ７３‥‥電源コード
７５‥‥パチンコ台                    ７７‥‥スペース
７９‥‥携帯電話機用充電器            ８１‥‥ＡＣアダプター
８３‥‥充電器本体                    ８５‥‥ホルダー部
８７‥‥サイドテーブル
【図１】
2007174823.tif 000003
【図２】
2007174823.tif 000004
【図３】
2007174823.tif 000005
【図４】
2007174823.tif 000006
【図５】
2007174823.tif 000007
【図６】
2007174823.tif 000008
【図７】
2007174823.tif 000009
【図８】
2007174823.tif 000010
【図９】
2007174823.tif 000011